(57)【要約】      （修正有）【課題】従来困難であった画面の改造および画面改造のツールを使用するための十分な知識を有していないユーザでもプラント情報を表示する画像の改造を容易に行えるプラント情報表示装置等を提供する。【解決手段】プラント情報表示装置１０Ａは、追加アイコンとする図形に追加アイコン情報１８を関連付けて、追加アイコンを生成する追加アイコン生成手段１１Ａと、追加アイコンを追加したい既存系統図の画像である第１層画像を生成する一方、当該既存系統図と関連付けられている追加アイコンの追加アイコン情報に従い当該既存系統図上に追加アイコンを配置した第２層画像を生成し、第１層画像と重畳して監視対象となるプラントの情報を表示する表示画面を生成する画面生成手段１２を具備する。【選択図】図１
2015087834.tif 000002
【特許請求の範囲】
【請求項１】
監視対象となるプラントの情報を表示する装置であり、
図形のテンプレートの情報である図形テンプレート情報から追加したい追加アイコンとする図形の選択を受け付け、前記追加アイコンとする図形に、少なくとも、前記追加アイコンとする図形と対応するアイコンＩＤ、前記監視対象を監視するために用意される画像から選択される前記追加アイコンを追加したい画像の識別情報、前記追加アイコンの種類情報、前記追加アイコンを追加したい画像上での前記追加アイコンの配置場所情報、および前記監視対象に設置されたセンサから周期的に送信されてくるプロセス信号を受信し時系列的に記憶して管理するプロセス値管理手段の管理対象となるプロセス値の識別情報であるプロセス値ＩＤから選択される前記プロセス値ＩＤを含む追加アイコン情報とを関連付けて、前記追加アイコンを生成する追加アイコン生成手段と、
前記追加アイコンを追加したい画像である第１層画像を生成する一方、前記追加アイコンのうち、前記追加アイコンを追加したい画像と関連付けられている追加アイコンの前記追加アイコン情報を前記追加アイコン生成手段から受け取り、受け取る前記追加アイコン情報が示す前記アイコンＩＤ、前記追加アイコンを追加したい画像の識別情報、前記追加アイコンの種類情報、および前記追加アイコンの配置場所情報に従い、前記追加アイコンを追加したい画像上の前記配置場所に前記追加アイコンの種類情報が示す種類の前記追加アイコンを配置した第２層画像を生成し、前記第１層画像と前記第２層画像とを重畳して、前記監視対象となるプラントの情報を表示する表示画面を生成する画面生成手段と、を具備することを特徴とするプラント情報表示装置。
【請求項２】
前記追加アイコン生成手段は、前記アイコンＩＤと関連付けられている少なくとも前記監視対象を構成する機器の分類を示す機器分類情報と前記監視対象を構成する機器の動作状態を示す動作情報とを含むステータス情報が保持される記憶手段から、前記追加アイコンを追加したい画像に追加する前記追加アイコンの前記アイコンＩＤと関連付けられている前記ステータス情報を読み出し、読み出した前記ステータス情報と関連付けられている前記アイコンＩＤと関連付けられている前記追加アイコン情報と関連付けるように構成され、
前記画面生成手段は、前記追加アイコン生成手段から受け取る前記追加アイコン情報に前記ステータス情報が含まれている場合、前記ステータス情報と対応する前記追加アイコンの表示様式の情報が保持される記憶手段から、前記追加アイコンの表示様式の情報を読み出し、前記第２層画像の前記追加アイコンの表示様式を、読み出した前記追加アイコンの表示様式の情報に従って設定するように構成されることを特徴とする請求項１に記載のプラント情報表示装置。
【請求項３】
手描き入力され認識されるオブジェクトと、このオブジェクトの識別情報を含むオブジェクト情報を生成するオブジェクト生成手段をさらに具備することを特徴とする請求項１または２に記載のプラント情報表示装置。
【請求項４】
前記オブジェクト生成手段は、前記オブジェクトと前記オブジェクト情報とを関連付けて記憶手段に保持させる一方、前記監視対象を監視するために用意される画像から選択される画像上に前記オブジェクトを追加的に配置する場合、前記追加的に配置する前記オブジェクトと関連付けられている前記オブジェクトの識別情報に対して、少なくとも、前記オブジェクトを追加したい画像の識別情報、および前記オブジェクトを追加したい画像上での前記オブジェクトの配置場所情報をさらに関連付けるように構成され、
前記画面生成手段は、前記追加的に配置する前記オブジェクトの画像および前記オブジェクト情報を前記オブジェクト生成手段から受け取り、受け取る前記オブジェクト情報が示す前記オブジェクトの識別情報、前記オブジェクトを追加したい画像の識別情報、および前記オブジェクトを追加したい画像上での前記オブジェクトの配置場所情報に従い、前記オブジェクトを追加したい画像上の前記配置場所に前記オブジェクトを配置した第３層画像を生成し、当該第３層画像を前記第１層画像および前記第２層画像と重畳して、前記監視対象となるプラントの情報を表示する表示画面を生成するように構成されることを特徴とする請求項３に記載のプラント情報表示装置。
【請求項５】
前記オブジェクト生成手段は、前記オブジェクトを追加手描きアイコンとするために関連付けられる追加手描アイコン情報を生成する機能と、前記オブジェクトと前記追加手描アイコン情報とを関連付けて前記追加手描アイコンを生成する追加手描アイコン生成手段として構成されており、
前記追加手描アイコン情報は、前記オブジェクトと関連付けられる前記オブジェクト情報に基づき、少なくとも、追加手描きアイコンとする前記オブジェクトに対して前記追加手描アイコン生成手段が付与する前記オブジェクトと対応するアイコンＩＤ、前記監視対象を監視するために用意される画像から選択される追加手描アイコンを追加したい画像の識別情報、前記追加手描アイコンの種類情報および配置場所情報、並びに前記プロセス値ＩＤが含まれる情報であり、
前記第３層画像は、前記追加手描アイコン情報に従い、前記追加手描きアイコンを追加したい画像上の前記追加手描きアイコンの配置場所に前記追加手描アイコンを配置した画像であることを特徴とする請求項４に記載のプラント情報表示装置。
【請求項６】
前記画面生成手段は、入力される指令に基づいて、前記監視対象となるプラントの情報を表示する表示画面を生成する際に、前記第３層画像を前記第１層画像および前記第２層画像と重畳するか否かを切り替え可能に構成されることを特徴とする請求項１から５の何れか１項に記載のプラント情報表示装置。
【請求項７】
前記オブジェクト生成手段は、前記オブジェクトと前記オブジェクト情報とを関連付けて記憶手段に保持させる一方、前記オブジェクトが前記追加したいアイコンとして選択された場合、前記追加アイコン生成手段が付与するアイコンＩＤの情報を受け取り、前記追加したいアイコンとして選択されたオブジェクトと関連付けて前記オブジェクト情報に追加するように構成され、
前記追加アイコン生成手段は、前記オブジェクトが前記追加したいアイコンとして選択された場合、前記アイコンＩＤを付与し、前記追加アイコン生成手段から前記追加したいアイコンとして選択された前記オブジェクトに、少なくとも、前記アイコンＩＤ、前記追加アイコンを追加したい画像の識別情報、前記追加アイコンを追加したい画像上での前記追加アイコンの配置場所情報、および前記管理対象となるプロセス値のＩＤを示すプロセス値ＩＤから選択されるプロセス値ＩＤを含む追加アイコン情報とを関連付けて前記追加アイコンを生成するように構成されることを特徴とする請求項３に記載のプラント情報表示装置。
【請求項８】
前記追加アイコン生成手段は、前記監視対象を監視するために用意される既存系統図に配置されている既存アイコンが前記追加アイコンとして選択された場合、選択された既存アイコンの形状情報および種類情報、並びに前記選択された既存アイコンと関連付けられている前記プロセス値ＩＤとを取得し、前記選択された既存アイコンの形状情報に従う図形を前記追加アイコンとする図形とする一方、前記追加アイコン情報に含まれる前記追加アイコンの種類情報およびプロセス値ＩＤを、それぞれ、前記選択された既存アイコンの種類情報およびプロセス値ＩＤとし、さらに、少なくとも、前記追加アイコン情報として、前記追加アイコンを追加したい既存系統図の識別情報、および前記追加アイコンを追加したい既存系統図上での前記追加アイコンの配置場所情報の入力を受け付けるように構成されることを特徴とする請求項１から７の何れか１項に記載のプラント情報表示装置。
【請求項９】
前記追加アイコン生成手段が生成する前記追加アイコン情報の少なくとも一部の情報を入力するグラフィカルユーザーインターフェースを提供する入力手段をさらに具備し、
前記グラフィカルユーザーインターフェースは、前記既存系統図上に前記追加アイコンを追加する要求を受け取ると、前記図形テンプレート情報に基づく図形と、前記追加アイコンを追加したい既存系統図とを表示手段に表示し、前記表示手段に表示される図形から選択される図形を前記系統図上に配置する操作を受け付けた場合、受け付けた操作毎に付与されるＩＤ、前記表示手段に表示される図形から選択される図形と対応する種類情報、前記選択される図形が配置された前記系統図の識別情報、および前記選択される図形が配置された配置場所情報を前記追加アイコン生成手段に与える一方、
前記追加アイコン生成手段は、前記追加アイコン情報を生成する際に、前記グラフィカルユーザーインターフェースから与えられる前記受け付けた操作毎に付与されるＩＤ、前記表示手段に表示される図形から選択される図形と対応する種類情報、前記選択される図形が配置された前記系統図の識別情報、および前記選択される図形が配置された配置場所情報を、それぞれ、前記追加アイコンとする図形と対応するアイコンＩＤ、前記追加アイコンの種類情報、前記追加アイコンを追加したい既存系統図の識別情報、および前記追加アイコンを追加したい既存系統図上の配置場所情報として自動的に入力するように構成されることを特徴とする請求項１から８の何れか１項に記載のプラント情報表示装置。
【請求項１０】
監視対象となるプラントを監視するために用意される画像から選択された画像に追加する追加アイコンを生成する追加アイコン生成手段と、前記選択された画像に前記追加アイコン生成手段が生成した前記追加アイコンの画像を重畳して前記監視対象となるプラントの情報を表示する表示画面を生成する画面生成手段とを具備する装置を用いた前記プラントの情報表示方法であり、
前記追加アイコン生成手段が、図形のテンプレートの情報である図形テンプレート情報から追加したい追加アイコンとする図形の選択を受け付け、前記追加アイコンとする図形に、少なくとも、前記追加アイコンとする図形と対応するアイコンＩＤ、前記監視対象を監視するために用意される画像から選択される前記追加アイコンを追加したい画像の識別情報、前記追加アイコンの種類情報、前記追加アイコンを追加したい画像上での前記追加アイコンの配置場所情報、および前記監視対象に設置されたセンサから周期的に送信されてくるプロセス信号を受信し時系列的に記憶して管理するプロセス値管理手段の管理対象となるプロセス値の識別情報であるプロセス値ＩＤから選択される前記プロセス値ＩＤを含む追加アイコン情報とを関連付けて、前記追加アイコンを生成する工程と、
前記画面生成手段が、前記追加アイコンを追加したい画像である第１層画像を生成する一方、前記追加アイコンのうち、前記追加アイコンを追加したい画像と関連付けられている追加アイコンの前記追加アイコン情報を前記追加アイコン生成手段から受け取り、受け取る前記追加アイコン情報が示す前記アイコンＩＤ、前記追加アイコンを追加したい画像の識別情報、前記追加アイコンの種類情報、および前記追加アイコンの配置場所情報に従い、前記追加アイコンを追加したい既存系統図上の前記配置場所に前記追加アイコンの種類情報が示す種類の前記追加アイコンを配置した第２層画像を生成し、前記第１層画像と前記第２層画像とを重畳して、前記監視対象となるプラントの情報を表示する表示画面を生成する工程とを具備することを特徴とするプラント情報表示方法。
【発明の詳細な説明】
【技術分野】
【０００１】
本発明は、プラント情報表示装置およびプラント情報表示方法に関する。
【背景技術】
【０００２】
図１４は、プラントの監視制御方式の一例である中央監視制御方式の監視制御システム１００のシステム構成例を示した概略図である。
【０００３】
原子力発電プラント等のプロセスプラントでは、中央監視制御方式が採用されている。中央監視制御方式を採用した監視制御システム１００では、例えば、現場に設置されたセンサ、並びにポンプまたはバルブ等の機器類（図１４では一例として「センサ」の場合を示す。）１０１〜１０３が計測したプロセスデータや機器情報等が、所定周期（例えば、１秒前後）で現場ネットワーク１０４、または専用ケーブル１０５を経由して、プロセス値管理手段の一例であるプロセス計算機１０６に集められ管理される。また、プロセス計算機１０６は、例えば監視制御用ネットワーク１０７を介して監視用端末装置としての入出力装置１０８と接続される。
【０００４】
入出力装置１０８は、情報の出力機能および入力機能、すなわち、ヒューマン・マシン・インタフェース（以下、「ＨＭＩ」とする。）の機能を提供する。入出力装置１０８の情報の出力機能および入力機能は、例えば、液晶ディスプレイ（Liquid Crystal Display：ＬＣＤ）装置等のディスプレイ装置をタッチパネルとして構成したり、ディスプレイ装置とマウスの様なポインティングデバイスとで構成したりすることで実現される。
【０００５】
例えば、原子力発電プラント向けのプラント情報表示装置では、原子力発電プラントで取り扱われるプロセスデータの数が数千点にも及ぶため、画面と呼ぶ単位で情報がグループ化されていることが多い。すなわち、画面は情報を画像として可視化したものである。
【０００６】
プラント情報表示装置では、画面（情報）をどのように構成するか、すなわち、ディスプレイ装置上に同時に表示されるプロセスデータ、表示の方法（デジタル表示、バーチャート表示、トレンドグラフ等）、表示レイアウト等が設定されている。プラント情報表示装置のユーザであるプラント運転員は、設定される画面の中から所望の画面を選択することで必要な情報を得ることができる。
【０００７】
また、各画面では、プロセスデータは数値として表示されるだけでなく、下記（１）〜（４）等の方法を用いることで、プロセスデータの理解を容易にし、プラント運転員の監視業務の負荷軽減化を図っている。
（１）系統図を使用したプロセスデータの表示
（２）プロセスデータのバーチャート等によるグラフィカルな表示
（３）プロセスデータのトレンドグラフによる変化の表示
（４）タイルによる警報の表示
【０００８】
例えば、図１４に示される監視制御システム１００のプロセス計算機１０６では、ディスプレイ装置に表示する画面を描画するため、ベクターグラフィックスを使う。ベクターグラフィックスでは、ディスプレイ装置上の画素に直接対応するＶＲＡＭ（Video Random Access Memory）上に、座標を指定して点、線、多角形、円、円弧などの図形、または文字列を書きこむことで、ディスプレイ装置上にこれらの図形や文字列を表示する。
【０００９】
監視制御システム１００を含めた従来の監視制御システムでは、画面の修正、改造するために専門的な知識が必要である。従って、現場に新しく機器を設置、または設備改造により不要となった機器を撤去した場合、画面の改造が容易ではないため、現場設備の改造を監視システムに反映するために多大な時間を要する。この画面改造の困難性が、プラントで異常が発生した場合の事態沈静化を遅らせる原因となる場合がある。
【００１０】
例えば、監視制御するプラントの常設機器が故障したため、急遽、仮設機器を設置するといった場合、画面改造の困難性から画面改造ができずに設置した仮設機器の監視をすることができないままプラントを運用することがある。この状況下では、仮設機器などの監視ができない箇所で異常が発生した場合、その異常が検知できずに事象の沈静化が遅れることが懸念される。従って、プラント運転員などの監視システムの製造に関する専門的な知識を持たないユーザでも容易に画面を、改造、修正できることが求められる。
【００１１】
このような事情を考慮して、監視画面の改造を容易に行うことができるシステムを提供する目的で、ある画面に配置されているプロセス値を他の画面に追加表示可能なプラント監視装置が、例えば、特開２００９−２１１５９６号公報（特許文献１）に記載されている。
【００１２】
特許文献１に記載されるプラント監視装置では、マウス操作による直接選択またはプロセス値の識別記号による検索でプロセス値を選択し、表示させる画面を指定することで該画面にプロセス値を追加している。また、専用の記憶手段にて追加先の画面中でのプロセス値の配置場所を記憶し再現性を持たせている。
【００１３】
また、プラントの改修や増設に対処するという観点から、データベースの更新を容易にするプラント監視装置が、例えば、特開２０１０−２５７０９７号公報（特許文献２）に記載されている。
【００１４】
特許文献２に記載されるプラント監視装置では、プラントを構成する機器と当該機器が属する系統、および当該機器から取得される信号に各々識別番号を付番し、互いに関連付けて管理している。これにより、プラントの改修や増設などにより入手可能な信号が変化した場合でもデータベースを容易に更新することを可能にしている。
【先行技術文献】
【特許文献】
【００１５】
【特許文献１】特開２００９−２１１５９６号公報
【特許文献２】特開２０１０−２５７０９７号公報
【発明の概要】
【発明が解決しようとする課題】
【００１６】
上述した特許文献１，２に記載されるプラント監視装置では、監視画面の改造を容易に行うことができるようになっているものの、画面の改造する際には専用のツールを使用する必要があり、当該ツールを使用する上での十分な知識を有さないユーザにとって、画面の改造が容易ではないという課題がある。
【００１７】
より具体的に説明すれば、特許文献１に記載されるプラント監視装置では、あくまでも、ある画面に表示されたアイコンを別の画面に表示させるものであり、全く新しいアイコンを生成するものではない。従って、状況に応じて必要な情報を集めて表示させるような画面改造では、十分な知識を有さないユーザでも容易に行えるが、機器の追加削除などの設備の改造を反映するために全く新しいアイコンを生成する必要があるような画面改造を行う場合には、十分な知識を有さないユーザでは容易に行えないという課題がある。
【００１８】
また、特許文献２に記載されるプラント監視装置では、入手可能な信号が変化した場合におけるデータベースの改造を容易にしているが、画面の改造については従来と同一の方法による画面の改造が必要となる。
【００１９】
本発明は、上述した課題を解決するためになされたものであり、プラント情報を表示する画像の改造を容易に行い得るプラント情報表示装置およびプラント情報表示方法を提供する。
【課題を解決するための手段】
【００２０】
本発明の実施形態に係るプラント情報表示装置は、上述した課題を解決するため、監視対象となるプラントの情報を表示する装置であり、図形のテンプレートの情報である図形テンプレート情報から追加したい追加アイコンとする図形の選択を受け付け、前記追加アイコンとする図形に、少なくとも、前記追加アイコンとする図形と対応するアイコンＩＤ、前記監視対象を監視するために用意される画像から選択される前記追加アイコンを追加したい画像の識別情報、前記追加アイコンの種類情報、前記追加アイコンを追加したい画像上での前記追加アイコンの配置場所情報、および前記監視対象に設置されたセンサから周期的に送信されてくるプロセス信号を受信し時系列的に記憶して管理するプロセス値管理手段の管理対象となるプロセス値の識別情報であるプロセス値ＩＤから選択される前記プロセス値ＩＤを含む追加アイコン情報とを関連付けて、前記追加アイコンを生成する追加アイコン生成手段と、前記追加アイコンを追加したい画像である第１層画像を生成する一方、前記追加アイコンのうち、前記追加アイコンを追加したい画像と関連付けられている追加アイコンの前記追加アイコン情報を前記追加アイコン生成手段から受け取り、受け取る前記追加アイコン情報が示す前記アイコンＩＤ、前記追加アイコンを追加したい画像の識別情報、前記追加アイコンの種類情報、および前記追加アイコンの配置場所情報に従い、前記追加アイコンを追加したい画像上の前記配置場所に前記追加アイコンの種類情報が示す種類の前記追加アイコンを配置した第２層画像を生成し、前記第１層画像と前記第２層画像とを重畳して、前記監視対象となるプラントの情報を表示する表示画面を生成する画面生成手段と、を具備することを特徴とする。
【００２１】
本発明の実施形態に係るプラント情報表示方法は、上述した課題を解決するため、監視対象となるプラントを監視するために用意される画像から選択された画像に追加する追加アイコンを生成する追加アイコン生成手段と、前記選択された画像に前記追加アイコン生成手段が生成した前記追加アイコンの画像を重畳して前記監視対象となるプラントの情報を表示する表示画面を生成する画面生成手段とを具備する装置を用いた前記プラントの情報表示方法であり、前記追加アイコン生成手段が、図形のテンプレートの情報である図形テンプレート情報から追加したい追加アイコンとする図形の選択を受け付け、前記追加アイコンとする図形に、少なくとも、前記追加アイコンとする図形と対応するアイコンＩＤ、前記監視対象を監視するために用意される画像から選択される前記追加アイコンを追加したい画像の識別情報、前記追加アイコンの種類情報、前記追加アイコンを追加したい画像上での前記追加アイコンの配置場所情報、および前記監視対象に設置されたセンサから周期的に送信されてくるプロセス信号を受信し時系列的に記憶して管理するプロセス値管理手段の管理対象となるプロセス値の識別情報であるプロセス値ＩＤから選択される前記プロセス値ＩＤを含む追加アイコン情報とを関連付けて、前記追加アイコンを生成する工程と、前記画面生成手段が、前記追加アイコンを追加したい画像である第１層画像を生成する一方、前記追加アイコンのうち、前記追加アイコンを追加したい画像と関連付けられている追加アイコンの前記追加アイコン情報を前記追加アイコン生成手段から受け取り、受け取る前記追加アイコン情報が示す前記アイコンＩＤ、前記追加アイコンを追加したい画像の識別情報、前記追加アイコンの種類情報、および前記追加アイコンの配置場所情報に従い、前記追加アイコンを追加したい既存系統図上の前記配置場所に前記追加アイコンの種類情報が示す種類の前記追加アイコンを配置した第２層画像を生成し、前記第１層画像と前記第２層画像とを重畳して、前記監視対象となるプラントの情報を表示する表示画面を生成する工程とを具備することを特徴とする。
【発明の効果】
【００２２】
本発明によれば、プラント情報を表示する画像の改造を容易に行うことができる。
【図面の簡単な説明】
【００２３】
【図１】本発明の第１の実施形態に係るプラント情報表示装置の構成を示す概略図。
【図２】本発明の実施形態に係るプラント情報表示装置における追加アイコン生成画面を示す概略図。
【図３】本発明の実施形態に係るプラント情報表示装置における追加アイコン情報入力画面を示す概略図。
【図４】本発明の実施形態に係るプラント情報表示装置における追加アイコン情報の内容を説明する説明図。
【図５】本発明の実施形態に係るプラント情報表示装置が実行する第１の追加アイコン生成処理工程の処理フロー図。
【図６】本発明の実施形態に係るプラント情報表示装置が実行する第２の追加アイコン生成処理工程の処理フロー図。
【図７】本発明の実施形態に係るプラント情報表示装置が実行する改造系統図表示処理工程の処理フロー図（シーケンスチャート）。
【図８】本発明の実施形態に係るプラント情報表示装置のプラント情報を表示する表示画面を構成する追加アイコンが配置された改造系統図の部分拡大図。
【図９】本発明の第２の実施形態に係るプラント情報表示装置の構成を示す概略図。
【図１０】本発明の第２の実施形態に係るプラント情報表示装置におけるステータス情報の内容を説明する説明図。
【図１１】本発明の第３の実施形態に係るプラント情報表示装置の構成を示す概略図。
【図１２】本発明の第４の実施形態に係るプラント情報表示装置の構成を示す概略図。
【図１３】本発明の第５の実施形態に係るプラント情報表示装置の構成を示す概略図。
【図１４】プラントの監視制御方式の一例である中央監視制御方式の監視制御システムのシステム構成例を示した概略図。
【発明を実施するための形態】
【００２４】
以下、本発明の実施形態に係るプラント情報表示装置およびプラント情報表示方法について、図面を参照して説明する。
【００２５】
[第１の実施形態]
図１は、本発明の第１の実施形態に係るプラント情報表示装置の一例であるプラント情報表示装置１０Ａの構成を示す概略図である。
【００２６】
プラント情報表示装置１０Ａは、監視対象となるプラントのプロセス信号を取得し、取得したプロセス信号に基づいてプラントの情報を表示する装置であり、例えば、追加アイコン生成手段１１Ａと、画面生成手段１２と、プロセス値管理手段１３と、入力手段１４および出力手段１５としての入出力装置１６とを具備する。また、プラント情報表示装置１０Ａは、アクセス可能な記憶手段または記憶媒体に、図形テンプレート情報１７、追加アイコン情報１８、および既存系統図情報１９を保持する。
【００２７】
追加アイコン生成手段１１Ａは、プラント監視用に用意される（改造がなされていない元来の）系統図（以下、「既存系統図」とする。）上に追加するアイコン（以下、「追加アイコン」とする。）となる図形のテンプレートの情報（以下、「図形テンプレート情報」とする。）１７を参照し、図形テンプレート情報１７に基づく図形の画像を画面生成手段１２へ与える機能を有し、追加アイコン生成のための追加アイコン生成画面２０（図２）に図形テンプレート領域２１（図２）を提供する。
【００２８】
また、追加アイコン生成手段１１Ａは、選択された既存系統図上に追加したい追加アイコンとする図形が選択され、配置された場合に、アイコンＩＤを付与する機能と、配置された図形の画像と付与したアイコンＩＤとを関連付けて保存する機能とを有する。
【００２９】
追加アイコン生成手段１１Ａは、選択された既存系統図上に追加したい追加アイコンとする図形の選択を受け付け、選択された図形が当該既存系統図上に配置された場合、この配置された追加アイコンとなる図形に追加アイコンの識別情報であるアイコンＩＤを付与し、当該図形の画像データと関連付けて保存する。これにより、追加アイコン生成手段１１Ａは、アイコンＩＤと関連付けられている図形の画像データを特定し、画面生成手段１２へ与えることができる。
【００３０】
さらに、追加アイコン生成手段１１Ａは、追加アイコン情報１８を生成する機能と、選択された図形と追加アイコン情報１８とを関連付けて追加アイコンを生成する機能とを有する。追加アイコン生成手段１１Ａは、選択された既存系統図上に追加したい追加アイコンとする図形の選択を受け付けると、選択された図形に関連付ける追加アイコン情報１８の入力を受け付ける。追加アイコン情報１８の入力が完了すると、追加アイコン生成手段１１Ａは、入力が完了した追加アイコン情報１８を選択された追加アイコンとする図形に関連付けて追加アイコンを生成する。
【００３１】
さらにまた、追加アイコン生成手段１１Ａは、画面生成手段１２から既存系統図上に配置された追加アイコン情報１８の問い合わせを受けると、問い合わせ結果を画面生成手段１２へ返す機能を有する。問い合わせ結果には、問い合わせのあった既存系統図上に配置された追加アイコンがある場合、当該追加アイコンの追加アイコン情報１８と、当該追加アイコンの図形の画像データとがある。
【００３２】
画面生成手段１２は、例えば、既存系統図の画像などの監視対象となる対象物の画像である第１層画像を生成する機能と、当該既存系統図上に配置される追加アイコンの画像であり、第１層画像とは異なる層（レイヤー）の第２層画像を生成する機能と、それぞれ異なる層の画像を重畳して監視対象となるプラントの情報を表示する表示画面（図７）を生成する機能とを有する。
【００３３】
画面生成手段１２は、追加アイコンを配置する既存系統図の選択を受け付けると、既存系統図情報１９を参照し、選択された既存系統図の画像データを取得し、当該既存系統図の画像（第１層画像）を生成する。既存系統図の画像は、追加アイコン生成画面２０（図２）または追加アイコン情報入力画面３０（図３）の系統図領域２２に表示される系統図を生成する際や、プラント情報を表示する表示画面（図７）を生成する際に用いられる。
【００３４】
また、画面生成手段１２は、選択された既存系統図上に配置される追加アイコンの画像である第２層画像を生成し、さらに、生成した第２層画像を、例えば、第１層画像などの他の層の画像と重畳し、監視対象となるプラントの情報を表示する表示画面（図７）を生成する。
【００３５】
さらに、画面生成手段１２は、プロセス値管理手段１３にアクセスして要求するプロセス値を取得することができる。さらにまた、画面生成手段１２は、入力手段１４および出力手段１５としての入出力装置１６と情報の授受を行い、入出力装置１６から要求される処理を実行したり、処理実行結果を入出力装置１６へ返したりする。
【００３６】
プロセス値管理手段１３は、監視対象に設置されたセンサから周期的に送信されてくるプロセス信号を受信し、時系列的に記憶して管理する。受信するプロセス信号を記憶する際には、プロセス信号が示すプロセス値の識別情報としてのプロセス値ＩＤを付与し、関連付けて記憶される。従って、プラント情報表示装置１０Ａでは、プロセス値ＩＤを検索キーとすることで当該プロセス値ＩＤと関連付けられているプロセス値を検索することができる。
【００３７】
入出力装置１６は、入力手段１４および出力手段１５としてヒューマン・マシン・インタフェース（ＨＭＩ）の機能を提供する装置であり、操作の入力を受け付けて受け付けた操作に基づく要求を画面生成手段１２へ送ったり、画像生成手段１２から受け取った画面のデータを出力したりする。
【００３８】
入出力装置１６は、例えば、情報出力機能を有する出力手段１５としてのディスプレイ装置（例えば、液晶ディスプレイ装置など）と、入力機能を有する入力手段１４としてのポインティングデバイスとで構成される。なお、入出力装置１６は、例えば、ディスプレイ装置上の座標を入力可能なタッチスクリーンのように、入力手段１４と出力手段１５とが１個の装置（ディスプレイ装置）内に一体的に構成されてもよい。
【００３９】
図形テンプレート情報１７は、アイコンとする図形のテンプレートとなる情報であり、少なくとも、追加アイコンとなる図形の画像データ（ベクター形式）が含まれる。また、図形テンプレート情報１７では、図形の画像データと追加アイコン生成手段１１Ａが付与するアイコンＩＤとが関連付けられる。
【００４０】
なお、図形テンプレート情報１７は、図形の種類と追加アイコンの種類の情報とが関連付けられていてもよい。この場合には、追加アイコン生成画面２０（図２）において選択された図形と関連付けられている追加アイコンの種類の情報を図形テンプレート情報１７から取得することができる。
【００４１】
追加アイコン情報１８（図４）は、少なくとも、追加アイコンとする図形と対応するアイコンＩＤ、既存系統図情報１９に含まれる情報に基づく既存系統図、すなわち、監視対象を監視するために用意される既存系統図から選択される追加アイコンを追加したい既存系統図の識別情報、追加アイコンの種類情報、追加アイコンを追加したい既存系統図上での追加アイコンの配置場所情報、およびプロセス値ＩＤを含んでいる。
【００４２】
既存系統図情報１９は、監視対象を監視するために用意される既存系統図の図面データ（ベクター形式の画像データ）と、既存系統図に示されるアイコンのアイコン情報とが含まれており、既存系統図の図面データおよびアイコン情報は、例えば、既存系統図の図面番号（系統図番号）などの既存系統図の識別情報と関連付けられている。ここで、アイコン情報とは、追加アイコン情報１８と同様の情報であり、少なくとも、アイコンの識別情報となるアイコンＩＤ、系統図番号、配置場所情報、およびプロセス値ＩＤが含まれる。
【００４３】
従って、プラント情報表示装置１０Ａでは、既存系統図の識別情報（系統図番号）を検索キーとすることで当該既存系統図の識別情報と関連付けられている既存系統図の図面データおよびアイコン情報を検索することができる。なお、既存系統図情報１９は、追加アイコンが配置されているか否かを示すフラグの情報をさらに有していてもよい。
【００４４】
続いて、既存系統図の画像上に追加アイコンを配置する場合を例として、プラント情報表示装置１０Ａにおける追加アイコンの生成のための操作、および追加アイコン生成処理工程について説明する。
【００４５】
図２は追加アイコン生成画面２０を示す概略図、図３は追加アイコン情報入力画面３０を示す概略図、図４は追加アイコン情報１８の内容を説明する説明図である。
【００４６】
追加アイコン生成画面２０は、入力手段１４から入力される追加アイコン生成要求を受信した画面生成手段１２が生成する追加アイコン２４を生成するための入力画面である。追加アイコン２４を生成するための入力画面の一例である追加アイコン生成画面２０の情報は、画面生成手段１２から出力手段１５としての入出力装置１６へ与えられて表示される。
【００４７】
追加アイコン生成画面２０は、例えば、図形テンプレート情報１７が有する追加アイコンとなる図形（テンプレート）２３の画像を表示する図形テンプレート領域２１と、既存系統図に追加アイコン２４が追加（配置）される状態の系統図、すなわち、アイコン追加作業中の系統図を表示する系統図領域２２とを備える。追加アイコン生成画面２０の図形テンプレート領域２１の画像は図形テンプレート情報１７に基づいて、系統図領域２２の画像は既存系統図情報１９に基づいて生成される。
【００４８】
プラント情報表示装置１０Ａでは、追加アイコン生成手段１１Ａが生成する追加アイコン情報１８（図１）の少なくとも一部の情報を入力するグラフィカルユーザーインターフェース（Graphical User Interface：ＧＵＩ）が入力手段１４として提供されており、例えば、追加アイコン生成画面２０に表示される図形２３をドラッグし、系統図領域２２にドロップして配置する操作（ドラッグアンドドロップ操作）を受け付けると、追加アイコン情報入力画面３０が表示される。
【００４９】
追加アイコン情報入力画面３０は、例えば、追加アイコン情報１８を構成する詳細情報の欄３１１〜３１５を表示する情報表示領域３１と、系統図領域２２とを備える。
【００５０】
情報表示領域３１には、例えば、追加アイコン情報１８に少なくとも含まれている情報のうち、追加アイコン２４を追加（配置）する既存系統図の識別情報を示す欄である系統図番号欄３１１と、追加アイコン２４の種類情報を示す欄であるアイコン種類欄３１２と、追加アイコン２４の名称情報を示す欄であるアイコン名称欄３１３と、追加アイコン２４を追加したい既存系統図上での追加アイコンの配置場所情報を示す欄である配置場所欄３１４と、プロセス値ＩＤを示す欄であるプロセス値ＩＤ欄３１５とが設けられる。
【００５１】
プラント情報表示装置１０Ａでは、追加アイコンとする図形２３と対応するアイコンＩＤと、系統図番号欄３１１、アイコン種類欄３１２、アイコン名称欄３１３、配置場所欄３１４、およびプロセス値ＩＤ欄３１５の入力を受け付け、入力が完了すると、追加アイコン生成手段１１Ａは、系統図番号欄３１１、アイコン種類欄３１２、アイコン名称欄３１３、配置場所欄３１４、およびプロセス値ＩＤ欄３１５に入力された詳細情報とを関連付けて追加アイコン情報１８を生成する。さらに、追加アイコン生成手段１１Ａは、追加アイコン情報１８と選択（ドラッグアンドドロップ操作）された図形２３（図２）と関連付けて追加アイコン２４を生成する。
【００５２】
各欄３１１〜３１５への入力は、例えば、ユーザのテキスト入力操作によるテキストの手動入力で行うことができる。ＧＵＩが提供されるプラント情報表示装置１０Ａでは、ＧＵＩを介した操作によって、系統図番号欄３１１、アイコン種類欄３１２、および配置場所欄３１４の入力を自動的（テキストの手動入力なし）に行うことができる。
【００５３】
系統図番号欄３１１、アイコン種類欄３１２、および配置場所欄３１４の自動入力については、例えば、図形２３のドラッグアンドドロップ操作に対応して行われる。系統図番号欄３１１については、図形２３がドラッグアンドドロップされた既存系統図は、系統図領域２２に表示される系統図であることから、既存系統図情報１９を参照することで、追加アイコン配置前の初期状態における既存系統図と関連付けられている系統図番号を特定することができ、特定した系統図番号を系統図番号欄３１１に自動的に入力することができる。
【００５４】
アイコン種類欄３１２については、図形の種類と追加アイコンの種類の情報とが関連付けられている場合、図形テンプレート情報１７を参照することで、追加アイコン２４とする図形２３（図２）と関連付けられているアイコン種類を特定することができるので、特定したアイコン種類をアイコン種類欄３１２に自動的に入力することができる。
【００５５】
配置場所欄３１４については、図形２３がドラッグアンドドロップされた系統図上における座標を取得することで、その場所を特定することができるので、特定した場所を配置場所欄３１４に自動的に入力することができる。
【００５６】
なお、アイコン名称欄３１３については、任意の情報であるため、ブランク（入力無し）でも、追加アイコン情報１８は生成される。また、上述した各欄３１１〜３１５への入力の方法は、一例であって、上述した方法に限定されない。例えば、プロセス値ＩＤ欄３１５への入力は、プロセス値管理手段１３が管理するプロセス値の一覧を表示し、ユーザから選択を受け付けたプロセス値ＩＤを入力するようにしてもよい。
【００５７】
図５は、本発明の実施形態に係るプラント情報表示装置の一例であるプラント情報表示装置１０Ａが実行する第１の追加アイコン生成処理工程の処理フロー図である。なお、図中に示される丸Ａは結合子である。
【００５８】
第１の追加アイコン生成処理工程（ステップＳ１〜ステップＳ７）は、プラント情報表示装置１０Ａが追加アイコンを生成する要求を受け付けると開始される（ＳＴＡＲＴ）。第１の追加アイコン生成処理工程では、まず、入出力装置１６としてのディスプレイが、画面生成手段１２によって生成された追加アイコン生成画面２０（図２）を表示し、ユーザに提示する（ステップＳ１）。
【００５９】
続いて、ユーザから追加アイコンとする図形２３（図２）の選択を受け付ける（ステップＳ２でＹＥＳの場合）と、入出力装置１６としてのディスプレイが、画面生成手段１２によって生成された追加アイコン情報入力画面３０（図３）を表示し、ユーザに提示する（ステップＳ３）。
【００６０】
続いて、追加アイコン情報入力画面３０の少なくとも、系統図番号欄３１１（図３）、アイコン種類欄３１２（図３）、配置場所欄３１４（図３）、およびプロセス値ＩＤ欄３１５（図３）の入力が完了すると（ステップＳ４でＹＥＳの場合）、追加アイコン生成手段１１Ａは、追加アイコン情報１８（図４）を生成し（ステップＳ５）、さらに生成した追加アイコン情報１８と選択を受け付けた追加アイコンとする図形２３とを関連付けて追加アイコン２４（図２）を生成する（ステップＳ６）。
【００６１】
その後は、追加アイコン２４の生成が全て完了した等の事情から第１の追加アイコン生成処理工程の終了要求があった場合（ステップＳ７でＹＥＳの場合）、追加アイコン生成処理工程は終了する（ＥＮＤ）。
【００６２】
一方、ステップＳ２において、ユーザから追加アイコンとする図形が選択されていない場合（ステップＳ２でＮＯの場合）、追加アイコン生成処理工程の処理フローはステップＳ２に戻り、追加アイコンとする図形の選択があるまでステップＳ２の処理が繰り返される（選択待機状態）。また、ステップＳ４において、追加アイコン情報入力画面３０の少なくとも、系統図番号欄３１１、アイコン種類欄３１２、配置場所欄３１４、およびプロセス値ＩＤ欄３１５の入力が未完了の場合（ステップＳ４でＮＯの場合）、第１の追加アイコン生成処理工程の処理フローはステップＳ４に戻り、完了するまでステップＳ４の処理が繰り返される（入力完了待機状態）。
【００６３】
さらに、ステップＳ６が完了した時点で、第１の追加アイコン生成処理工程の終了要求がない場合（ステップＳ７でＮＯの場合）、すなわち、まだ、追加アイコン２４の生成を行う場合には、第１の追加アイコン生成処理工程の処理フローはステップＳ２に進み、ステップＳ２以降の処理ステップが実行される。
【００６４】
なお、第１の追加アイコン生成処理工程は、追加アイコン生成手段１１Ａが新規に（既存系統図上のアイコンを利用することなく）追加アイコン２４（図２）を生成する例を説明したものであるが、上述したプラント情報表示装置１０Ａでは、既存系統図上のアイコンを利用して追加アイコン２４を生成することもできる。
【００６５】
図６は、本発明の実施形態に係るプラント情報表示装置の一例であるプラント情報表示装置１０Ａが実行する第２の追加アイコン生成処理工程の処理フロー図である。なお、図中に示される丸Ａは結合子である。
【００６６】
第２の追加アイコン生成処理工程（図６）は、追加アイコン生成画面２０（図２）の系統図領域２２（図２）に表示されるアイコンを利用して追加アイコン２４（図２）を生成する場合を前提とした処理工程であり、第１の追加アイコン生成処理工程（図５）に対して、ステップＳ２の代わりにステップＳ３１〜ステップＳ３３を備える点で相違するが、その他のステップについては実質的に相違しない。
【００６７】
第２の追加アイコン生成処理工程の処理フローは、追加アイコン生成画面２０の系統図領域２２に表示されるアイコンを利用する場合（ステップＳ３１でＹＥＳの場合）、ステップＳ３２に進む。ステップＳ３２では、追加アイコン生成手段１１Ａが追加アイコン２４として選択されたアイコンのアイコン情報を画面生成手段１２から取得する。アイコン情報は、画面生成手段１２が、選択されたアイコンのアイコンＩＤを検索キーとして既存系統図情報１９に含まれるアイコン情報を検索することで、特定され抽出される。
【００６８】
ステップＳ３２が完了すると、続いて、画面生成手段１２は、ユーザから要求される追加アイコン２４を配置する既存系統図を呼び出して、系統図領域２２に表示するとともに（ステップＳ３３）、情報表示領域３１を表示し、追加アイコン情報入力画面３０（図３）を表示する（ステップＳ３４）。
【００６９】
第２の追加アイコン生成処理工程の処理フローのステップＳ４以降の処理ステップ（ステップＳ５〜ステップＳ７）は、第１の追加アイコン生成処理工程と同様に実行される。その際に、追加アイコン情報１８（図４）の生成は、ステップＳ３２で取得されるアイコン情報も利用して行われる。具体的には、アイコン種類欄３１２およびプロセス値ＩＤ欄３１５（図３）に入力されるプロセス値ＩＤの情報は、ステップＳ３２で取得されるアイコン種類の情報およびプロセス値ＩＤの情報が、それぞれ、複製されて自動的に入力される。
【００７０】
ステップＳ６が完了した時点で、第２の追加アイコン生成処理工程の終了要求がない場合（ステップＳ７でＮＯの場合）、すなわち、まだ、追加アイコン２４の生成を行う場合には、第２の追加アイコン生成処理工程の処理フローはステップＳ３１に進み、ステップＳ３１以降の処理ステップが実行される。
【００７１】
なお、追加アイコン生成画面２０の系統図領域２２に表示されるアイコンを利用しない場合（ステップＳ３１でＮＯの場合）、第１の追加アイコン生成処理工程と同様の処理ステップとなる。すなわち、第２の追加アイコン生成処理工程の処理フローは、ステップＳ２（図５）に進み、ステップＳ２以降の処理ステップが実行される。
【００７２】
続いて、既存系統図の画像上に追加アイコンを配置する場合を例として、プラント情報表示装置１０Ａにおけるプラントの情報表示、すなわち、追加アイコンが配置された系統図（以下、「改造系統図」とする。）によるプラントの情報表示について説明する。
【００７３】
図７は、本発明の実施形態に係るプラント情報表示装置の一例であるプラント情報表示装置１０Ａが実行する改造系統図表示処理工程の処理フロー図（シーケンスチャート）である。
【００７４】
改造系統図表示工程の処理ステップは、ステップＳ１１〜ステップＳ１５が画面生成手段１２において実行され、ステップＳ２１〜ステップＳ２５が追加アイコン生成手段１１Ａで実行される。
【００７５】
改造系統図表示工程（ステップＳ１１〜ステップＳ１５；ステップＳ２１〜ステップＳ２５）は、プラント情報表示装置１０Ａが改造系統図の表示要求を受け付けると、開始される（ＳＴＡＲＴ）。
【００７６】
改造系統図表示処理工程の画面生成手段１２側の処理ステップ（ステップＳ１１〜ステップＳ１５）は、まず、画面生成手段１２は、改造系統図の表示要求を受け付けると、表示要求のあった既存系統図の画像を既存系統図情報１９にアクセスして取得し、第１層画像を生成する（ステップＳ１１）。また、併せて、表示要求のあった既存系統図の識別情報である系統図番号の情報を与え、表示要求のあった既存系統図に配置される追加アイコンの追加アイコン情報および当該追加アイコンの図形の画像データを追加アイコン生成手段１１Ａに問い合わせる（ステップＳ１２）。
【００７７】
画面生成手段１２は、追加アイコン生成手段１１Ａから問い合わせ結果（表示要求のあった既存系統図に配置される追加アイコンの追加アイコン情報および図形の画像データ）を受信すると（ステップＳ１３）、受信した情報に基づいて、第２層画像が生成される（ステップＳ１４）。
【００７８】
さらに、画面生成手段１２は、生成した第２層画像を、別途生成した第２層画像と異なる層の画像である第１層画像と重畳し、ディスプレイに表示する表示画面の信号を生成する（ステップＳ１５）。生成された表示画面の信号は入出力装置１６へ送られ、出力手段１５としてのディスプレイに表示画面（図７）が表示される。
【００７９】
一方、改造系統図表示処理工程の追加アイコン生成手段１１Ａ側の処理ステップ（ステップＳ２１〜ステップＳ２５）は、まず、起動（ステップＳ２１）し、その後、追加アイコン情報の問い合わせを待機する待機状態となる（ステップＳ２２）。
【００８０】
この待機状態において、画面生成手段１２から問い合わせを受けると（ステップＳ２３）、追加アイコン生成手段１１Ａは、既存系統図の識別情報である系統図番号を検索キーとして問い合わせのあった既存系統図と同じ系統図番号を含む追加アイコン情報と当該追加アイコン情報と関連付けられている図形の画像データとを検索し、抽出する（ステップＳ２４）。
【００８１】
追加アイコン生成手段１１Ａは、追加アイコン情報および当該追加アイコン情報と関連付けられている追加アイコンの図形の画像データを抽出すると、抽出結果を画面生成手段１２へ返す（ステップＳ２５）。すなわち、追加アイコン生成手段１１Ａから追加アイコン情報および当該追加アイコン情報と関連付けられている追加アイコンの図形の画像データが画面生成手段１２へ送られる。
【００８２】
なお、上述した改造系統図表示処理工程は、追加アイコンが配置されているか否かを示すフラグの情報を有していない既存系統図情報１９を参照する場合を説明しているが、この例に限定されない。例えば、追加アイコンが配置されているか否かを示すフラグの情報を有する既存系統図情報１９を参照する場合にも同様に実行される。
【００８３】
追加アイコンが配置されているか否かを示すフラグの情報を有する既存系統図情報１９を参照する場合には、ステップＳ１２が実行される前に、画面生成手段１２が表示要求のあった既存系統図の追加アイコンが配置されているか否かを示すフラグを確認する処理ステップを実行する。フラグの状態（立っているか否か）に基づいて、既存系統図に追加アイコンが配置されていることが確認された場合にはステップＳ１２〜ステップＳ１５の処理ステップが実行される一方、表示要求のあった既存系統図に追加アイコンが配置されていないことが確認された場合にはステップＳ１２〜ステップＳ１５の処理ステップは省略される。
【００８４】
図８は、プラント情報表示装置１０Ａのプラント情報を表示する表示画面を構成する追加アイコン２４が配置された系統図（改造系統図）の部分拡大図である。
【００８５】
プラント情報表示装置１０Ａは、既存系統図に追加アイコン２４が配置されている場合、当該既存系統図に追加アイコン２４を追加で配置した系統図、すなわち、改造系統図を入出力装置１６としてのディスプレイに表示する。図８に例示される改造系統図では、追加アイコン２４の一つとしてバルブのアイコンが追加されている。
【００８６】
ここで、バルブを示す追加アイコン２４を選択すると、この追加アイコン２４と関連付けられているプロセス値ＩＤおよび当該プロセス値ＩＤが示すプロセス値が表示される。ここで、選択とは、タッチ操作やマウスクリックによりなされる。また、プロセス値の表示は、例えば、ウインドウ３６にプロセス値をリスト化したプロセス値リスト３７を表示することで行われる。
【００８７】
さらに、ウインドウ３６に表示されるプロセス値リスト３７から所望のプロセス値を選択すると、選択されたプロセス値のトレンドグラフ３８が表示される。なお、破線３９は選択されているプロセス値を示すもので、破線３９内のプロセス値が選択されていることを示す。
【００８８】
例えば、図８に示される例では、破線３９に囲まれたプロセス値ＩＤ「Ａ０１」のプロセス値「出口流量」が選択されていることを示しており、当該選択によって、プロセス値「出口流量」のトレンドグラフ３８が表示されている。なお、図８に示される例では、トレンドグラフ３８は１個であるが、複数個のプロセス値のトレンドグラフ３８を表示させることもできる。
【００８９】
プラント情報表示装置１０Ａおよびプラント情報表示装置１０Ａを用いたプラント情報表示方法によれば、プラントの改修などによって取得する信号が増加した場合であっても、既存系統図に容易にアイコンを追加（追加アイコン２４を追加的に配置）することができ、また、追加的に配置された追加アイコン２４を用いて追加アイコン２４と関連付けられたプロセス値を監視することができる。すなわち、従来困難であった画面の改造及びそのツールを使用するための十分な知識を有していないユーザでもプラント情報を表示する画像の改造を容易に行うことができる。
【００９０】
また、プラント情報表示装置１０Ａおよびプラント情報表示装置１０Ａを用いたプラント情報表示方法によれば、既存系統図に基づく第１層画像と、既存系統図に追加的に配置される追加アイコン２４の画像であって第１層画像とは異なる層（レイヤー）の画像である第２層画像とを重畳して表示画面を生成するので、追加アイコン２４を配置することが、元来の表示画面を構成する第１層画像に影響を及ぼすことがない。従って、画面の改造や修正に誤りがあった場合にも既存系統図には何ら悪影響が及ぶことはない。
【００９１】
なお、上述したプラント情報表示装置１０Ａは、追加アイコン生成手段１１Ａと、画面生成手段１２と、プロセス値管理手段１３と、入出力装置１６とを具備する例であるが、少なくとも、追加アイコン生成手段１１Ａと画面生成手段１２とを具備していればよく、プロセス値管理手段１３、および入出力装置１６については、必ずしもプラント情報表示装置１０Ａ自身が具備する必要はない。
【００９２】
例えば、プロセス値管理手段１３については、プロセス計算機等のプラント情報表示装置１０Ａ以外の外部装置からプロセス値ＩＤが示すプロセス値を取得できるのであれば、省略することができる。また、入出力装置１６については、プロセス計算機の監視用端末装置等のプラント情報表示装置１０Ａ以外の外部装置と追加アイコン生成手段１１Ａおよび画面生成手段１２と間で情報の入力および出力ができるのであれば省略することができる。
【００９３】
また、上述したプラント情報表示装置１０Ａは、追加アイコン生成手段１１Ａが図形テンプレート情報１７を参照して、図形テンプレート情報１７に基づく図形の画像を画面生成手段１２へ与える機能を有する場合を説明しているが、図形テンプレート情報１７を画面生成手段１２が参照して取得するように構成することもできる。この場合、追加アイコン生成手段１１Ａが付与するアイコンＩＤと追加アイコンとなる図形の画像データとの関連付けは、画面生成手段１２に実行させればよい。
【００９４】
［第２の実施形態］
図９は本発明の第２の実施形態に係るプラント情報表示装置の一例であるプラント情報表示装置１０Ｂの構成を示す概略図、図１０はステータス情報４１の内容を説明する説明図である。
【００９５】
プラント情報表示装置１０Ｂは、例えば、プラント情報表示装置１０Ａに対して、追加アイコン生成手段１１Ａの代わりに追加アイコン生成手段１１Ｂを具備する点と、アクセス可能な記憶手段または記憶媒体にステータス情報４１およびステータス表示設定情報４３をさらに保持する点と、ステータス情報４１およびステータス表示設定情報４３を用いて表示画面が生成される点とで相違するが、その他の点については実質的な相違はない。そこで、本実施形態の説明では、上記相違点を中心に説明し、上述した実施形態と重複する説明を省略する。
【００９６】
プラント情報表示装置１０Ｂは、監視対象となるプラントのプロセス信号を取得し、取得したプロセス信号に基づいてプラントの情報を表示する装置であり、例えば、追加アイコン生成手段１１Ｂと、画面生成手段１２と、プロセス値管理手段１３と、入力手段１４および出力手段１５としての入出力装置１６とを具備する。また、プラント情報表示装置１０Ｂは、アクセス可能な記憶手段または記憶媒体に、図形テンプレート情報１７、追加アイコン情報１８、既存系統図情報１９、ステータス情報４１、およびステータス表示設定情報４３を保持する。
【００９７】
追加アイコン生成手段１１Ｂは、追加アイコン生成手段１１Ａが有する機能に対して、ステータス情報４１の情報を取得して更新する機能と、画面生成手段１２に対して追加アイコン情報１８（図４）とともにステータス情報４１を提供する機能とをさらに有する。
【００９８】
ステータス情報４１は、追加アイコン２４（図２）が示すプラント機器の状態を示す情報を有しており、追加アイコン２４のアイコンＩＤと関連付けられている。プラント機器の状態を示す情報には、例えば、対象とするプラント機器が既設であるか新設であるかなどで分類される機器種類の情報や対象とするプラント機器が運転状態にあるか停止状態にあるかなどで分類される動作状況の情報などが含まれる（図１０）。
【００９９】
ステータス表示設定情報４３は、ステータス情報４１のプラント機器の状態を示す情報をどのように表示して画面を生成するかを設定した情報である。図１０に示されるステータス情報４１を例に説明すれば、ステータス表示設定情報４３は、プラント機器が既設であるか新設であるかに対応する追加アイコン２４の表示様式の情報と、プラント機器が運転中であるか停止中であるかに対応する追加アイコン２４の表示様式の情報とを有している。ここで、追加アイコン２４の表示様式には、例えば、追加アイコン２４の表示色、線種、線の太さ、または点灯状態などがある。
【０１００】
このように構成されるプラント情報表示装置１０Ｂでは、プラント情報表示装置１０Ａと同様に追加アイコン２４を生成する追加アイコン生成処理工程（第１，２の追加アイコン生成処理工程）を実行することができる。
【０１０１】
一方、プラント情報表示装置１０Ｂにおけるプラントの情報表示、すなわち、改造系統図によるプラントの情報表示については、プラント情報表示装置１０Ａにおけるプラントの情報表示に対して、ステータス情報４１のプラント機器の状態を示す情報が反映され、プラント機器の状態を示す情報に応じた表示様式で追加アイコン２４が表示される点で相違する。
【０１０２】
プラント情報表示装置１０Ｂでは、追加アイコン生成手段１１Ｂがステータス情報４１を管理する。追加アイコン生成手段１１Ｂは、機器種類の情報および動作状況の情報を、例えば、予めユーザに従って入力したり、自動的に入力したりする。
【０１０３】
機器種類の情報の自動入力は、例えば、上述した追加アイコン生成処理工程が第１の追加アイコン生成処理工程であるか、第２の追加アイコン生成処理工程であるかに基づいて実行できる。具体的には、第１の追加アイコン生成処理工程であれば、既存系統図にないプラント機器と判断して「新設」とし、第２の追加アイコン生成処理工程であれば、既存系統図に存在するプラント機器と判断して「既設」と判断する。
【０１０４】
動作状況の情報の自動入力は、例えば、任意のタイミングでプラント機器のオンオフ（ＯＮ／ＯＦＦ）情報をプロセス値管理手段１３から受け取り、受け取ったプラント機器のオンオフ情報に基づいて運転か停止かを判断させて、新規に入力したり既存情報を更新したりすることで実行できる。
【０１０５】
ユーザからの改造系統図の表示要求を受け付けると、追加アイコン生成手段１１Ｂは、既存系統図の識別情報である系統図番号を検索キーとして画面生成手段１２から問い合わせのあった既存系統図と同じ系統図番号を含む追加アイコン情報１８と当該追加アイコン情報と関連付けられている図形２３（図２）の画像データとを検索し、抽出する。また、追加アイコン生成手段１１Ｂは、抽出した追加アイコン２４（図２）のアイコンＩＤを検索キーとして、プラント機器のステータス情報を検索し、抽出する。
【０１０６】
追加アイコン生成手段１１Ｂは、追加アイコン情報１８、当該追加アイコン情報１８と関連付けられている追加アイコン２４の図形２３の画像データ、および当該追加アイコン２４の識別情報であるアイコンＩＤと関連付けられているプラント機器のステータス情報を抽出すると、抽出結果を問い合わせ結果として画面生成手段１２へ返す。
【０１０７】
一方、画面生成手段１２では、追加アイコン生成手段１１Ｂから問い合わせ結果を受けとると、受信した情報に基づいて、第２層画像が生成され、別途生成した第１層画像と重畳され、ディスプレイに表示する表示画面の信号が生成される。このとき、画面生成手段１２は、ステータス表示設定情報４３を参照して、追加アイコン生成手段１１Ｂから受け取ったステータス情報と対応する表示様式の情報に従った表示様式を選択し、表示画面の信号を生成する。
【０１０８】
プラント情報表示装置１０Ｂおよびプラント情報表示装置１０Ｂを用いたプラント情報表示方法によれば、プラント情報表示装置１０Ａおよびプラント情報表示装置１０Ａを用いたプラント情報表示方法と同様の効果を奏するとともに、プラント機器のステータス情報を反映してプラントの情報を表示することができるので、要求した条件に合致する状態のプラント機器のアイコンを強調して表示させることができる。これにより、プラントの運転員（ユーザ）の視線を有用なパラメータに誘導することができ、監視業務を効率化することができる。
【０１０９】
なお、上述したプラント情報表示装置１０Ｂおよびプラント情報表示装置１０Ｂを用いたプラント情報表示方法では、ステータス情報４１と追加アイコン情報１８とがそれぞれ独立した情報を構成しているが、ステータス情報４１が追加アイコン情報１８に含まれていてもよい。
【０１１０】
また、ステータス情報４１の機器種類の情報が２種類の場合であれば、機器種類を示すフラグを追加アイコン情報１８に設定し、フラグ設定した機器種類の情報をステータス情報４１から省略することができる。動作状況の情報が２種類の場合も同様に、動作状況を示すフラグを追加アイコン情報１８に設定し、フラグ設定した動作状況の情報をステータス情報４１から省略することができる。機器種類を示すフラグや動作状況を示すフラグが追加アイコン情報１８に設定されていれば、追加アイコン情報１８に設定されるフラグが立っているか否かに基づいて機器種類や動作状況を区別することができるためである。
【０１１１】
さらに、図１０に示されるステータス情報４１の例では、機器種類の情報および動作状況の情報は、それぞれ、２通りの場合が示されているが、３通り以上であってもよい。例えば、動作状況を、正常に運転している状態を示す「正常」、異常が検知されている状態を示す「異常」、停止状態を示す「停止」の３通りで示してもよい。
【０１１２】
［第３の実施形態］
図１１は、本発明の第３の実施形態に係るプラント情報表示装置の一例であるプラント情報表示装置１０Ｃの構成を示す概略図である。
【０１１３】
プラント情報表示装置１０Ｃは、例えば、プラント情報表示装置１０Ａに対して、ベクター形式の画像データが含まれる既存系統図情報１９の代わりにラスター形式の画像データであるラスター画像データ４６が保持される点と、第１層画像がベクター形式の画像の代わりにラスター形式の画像となる点とで相違するが、その他の点については実質的な相違はない。そこで、本実施形態の説明では、上記相違点を中心に説明し、上述した実施形態における説明と重複する説明を省略する。
【０１１４】
プラント情報表示装置１０Ｃは、例えば、追加アイコン生成手段１１Ａと、画面生成手段１２と、プロセス値管理手段１３と、入力手段１４および出力手段１５としての入出力装置１６と、を具備する。また、プラント情報表示装置１０Ｃは、アクセス可能な記憶手段または記憶媒体に、図形テンプレート情報１７、追加アイコン情報１８、およびラスター画像データ４６を保持する。ラスター画像データ４６は、画像毎の付される識別情報と関連付けられている。ユーザは、画像毎の付される識別情報を与えることで、所望のラスター画像を呼び出すことができる。
【０１１５】
このように構成されるプラント情報表示装置１０Ｃでは、入出力装置１６から指定されたラスター形式の画像データをラスター画像データ４６から読み出し、読み出したラスター形式の画像を画面生成手段１２に与える。ラスター形式の画像の例としては、例えば、設計図面や写真などのビットマップ（ＢＭＰ）画像やジェイペグ（ＪＰＥＧ）画像がある。その他の点は、プラント情報表示装置１０Ａと同様である。
【０１１６】
プラント情報表示装置１０Ｃおよびプラント情報表示装置１０Ｃを用いたプラント情報表示方法によれば、プラント情報表示装置１０Ａおよびプラント情報表示装置１０Ａを用いたプラント情報表示方法と同様の効果を奏する。
【０１１７】
また、プラント情報表示装置１０Ｃおよびプラント情報表示装置１０Ｃを用いたプラント情報表示方法では、設計図面や写真などの画像上に、状況に応じて有用なパラメータを集めて表示することで監視画面として使用することができる。従って、通常は系統図（系統図画像）として準備されていないようなプラント内のフロアマップやサイト敷地内地図、またはサイト周辺地域の地図などの画像を用いて、監視画面を生成し使用することができる。
【０１１８】
なお、上述したプラント情報表示装置１０Ｃは、プラント情報表示装置１０Ａに対して、既存系統図情報１９の代わりにラスター画像データ４６を保持する場合の例を説明しているが、プラント情報表示装置１０Ｃはプラント情報表示装置１０Ｂなどのプラント情報表示装置１０Ａ以外のプラント情報表示装置に対しても同様の構成を採ることができる。
【０１１９】
［第４の実施形態］
図１２は、本発明の第４の実施形態に係るプラント情報表示装置の一例であるプラント情報表示装置１０Ｄの構成を示す概略図である。
【０１２０】
プラント情報表示装置１０Ｄは、例えば、プラント情報表示装置１０Ａに対して、図形２３（図２）の他に、手描きされたシンボルなどの図形以外の対象物（以下、「オブジェクト」とする。）を生成するオブジェクト生成手段５１をさらに具備する点と、アクセス可能な記憶手段または記憶媒体にオブジェクト情報５２をさらに保持する点と、画面生成手段１２の処理内容で相違するが、その他の点については実質的な相違はない。そこで、本実施形態の説明では、上記相違点を中心に説明し、上述した実施形態における説明と重複する説明を省略する。
【０１２１】
プラント情報表示装置１０Ｄは、プラント情報表示装置１０Ａに対して、オブジェクトを生成する機能と、このオブジェクトを既存系統図上に配置する機能と、監視画面上のオブジェクトの表示を入り切りする（表示と非表示を切り替える）機能とをさらに有し、例えば、追加アイコン生成手段１１Ａと、画面生成手段１２と、プロセス値管理手段１３と、入力手段１４および出力手段１５としての入出力装置１６と、オブジェクト生成手段５１とを具備する。
【０１２２】
また、プラント情報表示装置１０Ｄは、アクセス可能な記憶手段または記憶媒体に、図形テンプレート情報１７、追加アイコン情報１８、既存系統図情報１９、およびオブジェクト情報５２を保持する。
【０１２３】
オブジェクト生成手段５１は、オブジェクトの画像データを生成する機能と、オブジェクトの画像データをオブジェクトの識別情報と関連付けて保持する機能とを有する。オブジェクト生成手段５１は、例えば、入出力装置１６から手描き入力された対象物がある場合、手描き入力された対象物をオブジェクトとして認識し、認識したオブジェクトの画像データを生成する。生成したオブジェクトの画像データは、オブジェクト情報５２としてアクセス可能な記憶手段または記憶媒体に保持される。
【０１２４】
オブジェクト情報５２は、少なくとも、オブジェクトの画像データが含まれており、オブジェクトの識別情報と関連付けられて保持される。オブジェクトの識別情報との関連付けによって、当該識別情報を検索キーとして所望のオブジェクトを検索することができ、オブジェクトの管理が容易となる。
【０１２５】
プラント情報表示装置１０Ｄにおいて、画面生成手段１２は、追加アイコン２４（図２）やオブジェクトが配置される既存系統図などの画像と、追加アイコン生成手段１１Ａから受け取る画像（追加アイコンとなる図形の画像）と、オブジェクト生成手段５１から受け取る画像（オブジェクトの画像）とを異なる層の画像として認識し、それぞれ重畳する。すなわち、既存系統図などの画像を第１層画像とし、追加アイコン生成手段１１Ａから受け取る画像を第２層画像とし、オブジェクト生成手段５１から受け取るオブジェクトの画像を第３層画像として、重畳されて監視画面が生成される。
【０１２６】
また、プラント情報表示装置１０Ｄにおいて、画面生成手段１２は、入力される指令に応じて、監視画面生成の際に、第３層画像を使用するか否かを切り替える機能を有する。従って、プラント情報表示装置１０Ｄは、オブジェクトの表示要求の有無に応じて、オブジェクトを表示させる監視画面を生成したり、オブジェクトを非表示とする監視画面を生成したりすることができる。
【０１２７】
このように構成されるプラント情報表示装置１０Ｄでは、追加アイコン２４（図２）の他に、既存系統図の画像上に追加的に配置可能なオブジェクトを生成することができる。また、プラント情報表示装置１０Ｄでは、既存系統図の画像上に追加的に配置されるオブジェクトを表示させたり、非表示としたりすることもできる。例えば、文字で構成される注意事項をオブジェクトとした場合、この注意事項（オブジェクト）を必要に応じて表示させることができる。
【０１２８】
プラント情報表示装置１０Ｄにおけるオブジェクトの生成のための操作、およびオブジェクト生成処理工程について説明する。
【０１２９】
オブジェクトの生成のための操作としては、ユーザは入力手段１４を操作してオブジェクト生成を画面生成手段１２へ要求する。オブジェクト生成を画面生成手段１２へ要求すると、例えば、入出力装置１６のディスプレイなどの出力手段１５にオブジェクトの入力を受け付ける画面が表示される。
【０１３０】
続いて、ユーザは手入力などによってオブジェクトを入力する。オブジェクトの入力が完了するとオブジェクトの登録を確認する画面が表示されるので、ユーザはオブジェクトを登録する旨を指定する。オブジェクトの登録をする旨の操作が完了すると、オブジェクトの生成のための操作は全て完了する。
【０１３１】
一方、プラント情報表示装置１０Ｄが実行するオブジェクト生成処理工程は、オブジェクトの生成のための操作を受け付けると、オブジェクトの入力を受け付ける画面を出力手段１５に表示する。
【０１３２】
続いて、オブジェクトの入力操作が完了すると、オブジェクトの登録を確認する画面を表示し、ユーザによるオブジェクト登録の許可を受け付ける。ユーザによるオブジェクト登録の許可を受け付けた場合、当該オブジェクトの画像データがオブジェクトの識別情報と関連付けられオブジェクト情報５２としてアクセス可能な記憶手段または記憶媒体に保持される。
【０１３３】
なお、プラント情報表示装置１０Ｄにおける改造系統図表示処理工程は、プラント情報表示装置１０Ａにおける改造系統図表示処理工程に対して、オブジェクトの表示要求が有る場合に追加アイコンに加えてオブジェクトの画像（第３層画像）も生成される点と、生成される第３層画像も重畳される点とが相違するが、その他の点は実質的に相違しない。
【０１３４】
このように、プラント情報表示装置１０Ｄおよびプラント情報表示装置１０Ｄを用いたプラント情報表示方法によれば、プラント情報表示装置１０Ａおよびプラント情報表示装置１０Ａを用いたプラント情報表示方法と同様の効果を奏する。
【０１３５】
また、プラント情報表示装置１０Ｄおよびプラント情報表示装置１０Ｄを用いたプラント情報表示方法では、追加アイコン２４（図２）の他にも既存系統図などの画像上に追加的に配置可能なオブジェクトを生成することができる。従って、想定外の事象が発生した際にも、監視業務を行う上での注意事項や連絡事項などを手描きし、オブジェクトとして監視画面内に表示させることができ、注意事項や連絡事項などの伝達が容易となる。すなわち、想定外の事象が発生した際にも、柔軟で迅速な対応をとることができる。
【０１３６】
さらに、プラント情報表示装置１０Ｄおよびプラント情報表示装置１０Ｄを用いたプラント情報表示方法では、オブジェクトの画像を既存系統図などの監視対象の画像（第１層画像）や追加アイコン２４の画像（第２層画像）とは異なる層の画像（第３層画像）として生成した上で画像を重畳するので、オブジェクトの画像を監視画面内に表示させたり非表示としたりすることもできる。従って、１枚の監視画面に表示させる情報の量と自由度をさらに増加させることができる。
【０１３７】
なお、上述したプラント情報表示装置１０Ｄは、プラント情報表示装置１０Ａに対して、オブジェクト生成手段５１をさらに具備し、アクセス可能な記憶手段または記憶媒体にオブジェクト情報５２をさらに保持する場合の例を説明しているが、プラント情報表示装置１０Ｄはプラント情報表示装置１０Ｂなどのプラント情報表示装置１０Ａ以外のプラント情報表示装置に対しても、同様の構成を採ることができる。
【０１３８】
また、上述したプラント情報表示装置１０Ｄは、オブジェクトを生成するまでの処理を実行する装置として説明しているが、さらに、生成したオブジェクトに追加アイコン情報１８を関連付けた追加アイコン２４（図２）を生成する処理を実行する装置とすることもできる。すなわち、テンプレートとして用意される図形２３（図２）の他、オブジェクト生成手段５１が生成したオブジェクトに追加アイコン情報１８を関連付けて追加アイコン２４を生成可能なプラント情報表示装置１０Ｄとすることもできる。
【０１３９】
オブジェクトに追加アイコン情報１８を関連付けて追加アイコン２４を生成可能なプラント情報表示装置１０Ｄとする場合には、追加アイコン生成手段１１Ａに幾つかの機能を付加した追加アイコン生成手段１１Ｄを適用することが必要となる。追加アイコン生成手段１１Ｄは、追加アイコン生成手段１１Ａに対して、追加アイコン２４を生成する際に追加アイコン情報１８を関連付ける対象としてオブジェクトの画像データを提供する機能と、選択されたオブジェクトと追加アイコン情報１８とを関連付けて追加アイコン２４を生成する機能とをさらに付加して構成される。
【０１４０】
オブジェクトに追加アイコン情報１８を関連付けて追加アイコン２４を生成可能なプラント情報表示装置１０Ｄでは、追加アイコン２４（図２）を生成する際に追加アイコン情報１８を関連付ける対象としてオブジェクトを選択肢として提供する。より具体的には、追加アイコン生成画面２０（図２）にオブジェクト情報５２が有する追加アイコン２４となるオブジェクトの画像を表示する。
【０１４１】
なお、オブジェクトの画像は、系統図領域２２（図２）に追加アイコン２４とするオブジェクトをドロップして配置する操作（ドラッグアンドドロップ操作）が可能に表示されていれば、その表示の仕方は任意である。例えば、図形テンプレート領域２１に図形２３の画像と併せて表示されていてもよいし、図形２３の画像と切り替え可能な状態で表示されていてもよい。
【０１４２】
また、オブジェクトに追加アイコン情報１８を関連付けて追加アイコン２４を生成する場合、追加アイコン２４を生成した後は、追加アイコン２４（図２）とするオブジェクトとして選択されたオブジェクトの画像データに追加アイコン生成手段１１Ｄが当該追加アイコン２４を生成する際に付与されるアイコンＩＤの情報がさらに関連付けられる。すなわち、オブジェクト情報５２は、少なくともオブジェクトの画像データと、オブジェクトの識別情報と、アイコンＩＤとが関連付けられた状態で保持される。
【０１４３】
このようなアイコンＩＤとの関連付けによって、プラント情報表示装置１０Ｄでは、オブジェクトに追加アイコン情報１８を関連付けて追加アイコン２４を生成した場合でも、画面生成手段１２が追加アイコン生成手段１１Ｄから必要な情報を取得して表示画面生成時に必要な追加アイコン２４を抽出することができる。
【０１４４】
［第５の実施形態］
図１３は、本発明の第５の実施形態に係るプラント情報表示装置の一例であるプラント情報表示装置１０Ｅの構成を示す概略図である。
【０１４５】
プラント情報表示装置１０Ｅは、プラント情報表示装置１０Ａに対して、追加手描きアイコン生成手段５５をさらに具備する点と、アクセス可能な記憶手段または記憶媒体に追加手描きアイコン情報５６をさらに保持する点とで相違するが、その他の点については実質的な相違はない。そこで、本実施形態の説明では、上記相違点を中心に説明し、上述した実施形態における説明と重複する説明を省略する。
【０１４６】
プラント情報表示装置１０Ｅは、例えば、プラント情報表示装置１０Ａに対して、入出力装置１６で手描きしたシンボルをオブジェクトとして生成し、さらに生成したオブジェクトに追加アイコン情報１８に相当する情報である追加手描きアイコン情報５６を関連付けた手描きの追加アイコン（以下、「追加手描きアイコン」とする。）を生成する機能をさらに有し、例えば、追加アイコン生成手段１１Ａと、画面生成手段１２と、プロセス値管理手段１３と、入力手段１４および出力手段１５としての入出力装置１６と、追加手描きアイコン生成手段５５とを具備する。
【０１４７】
また、プラント情報表示装置１０Ｅは、アクセス可能な記憶手段または記憶媒体に、図形テンプレート情報１７、追加アイコン情報１８、既存系統図情報１９、および追加手描きアイコン情報５６を保持する。
【０１４８】
追加手描きアイコン生成手段５５は、追加アイコン生成手段１１Ａと類似する手段である。追加手描きアイコン生成手段５５の追加アイコン生成手段１１Ａと相違する点は、簡潔に言えば、追加アイコン２４（図２）となる対象物（画像）が図形２３（図２）ではなくオブジェクトである点であり、その他の点は実質的に相違しない。
【０１４９】
すなわち、追加手描きアイコン生成手段５５は、既存系統図の画像上に追加的に配置する追加アイコンとなるオブジェクトを追加手描きアイコン情報５６を参照し、追加手描きアイコン情報５６に基づくオブジェクトの画像を画面生成手段１２へ与える機能を有し、追加アイコン生成のための追加アイコン生成画面２０（図２）に追加手描きアイコンとするオブジェクトの画像を提供する。
【０１５０】
また、追加手描きアイコン生成手段５５は、追加手描きアイコンとするオブジェクトを生成する機能と、追加手描きアイコンとするオブジェクトが選択され、既存系統図上に配置された場合にアイコンＩＤを付与する機能と、配置されたオブジェクトの画像と付与したアイコンＩＤとを関連付けて保存する機能とを有する。
【０１５１】
追加手描きアイコン生成手段５５は、例えば、入出力装置１６から手描き入力された対象物がある場合、手描き入力された対象物をオブジェクトとして認識し、認識したオブジェクトの画像データを生成する。生成したオブジェクトの画像データは、追加手描きアイコン情報５６としてアクセス可能な記憶手段または記憶媒体に保持される。
【０１５２】
また、追加手描きアイコン生成手段５５は、追加手描きアイコンとするオブジェクトが選択され、既存系統図上に配置された場合、追加手描きアイコンとするオブジェクトにアイコンＩＤを付与し、当該オブジェクトの画像データと関連付ける。これにより、追加手描きアイコン生成手段５５は、アイコンＩＤと関連付けられているオブジェクトの画像データを特定し、画面生成手段１２へ与えることができる。
【０１５３】
さらに、追加手描きアイコン生成手段５５は、追加手描きアイコン情報５６を生成する機能と、選択されたオブジェクトと追加手描きアイコン情報５６とを関連付けて追加手描きアイコンを生成する機能とを有する。追加手描きアイコン生成手段５５は、追加手描きアイコンとするオブジェクトの選択を受け付けると、選択されたオブジェクトに関連付ける追加手描きアイコン情報５６の入力を受け付ける。追加手描きアイコン情報５６の入力が完了すると、追加手描きアイコン生成手段５５は、選択されたオブジェクトと入力された追加手描きアイコン情報５６とを関連付けて追加手描きアイコンを生成する。
【０１５４】
さらにまた、追加手描きアイコン生成手段５５は、画面生成手段１２から既存系統図上に配置された追加手描きアイコン情報５６の問い合わせを受けると、問い合わせ結果を画面生成手段１２へ返す機能を有する。問い合わせ結果には、問い合わせのあった既存系統図上に配置された追加手描きアイコンがある場合、当該追加手描きアイコンの追加手描きアイコン情報５６と、当該追加手描きアイコンのオブジェクトの画像データとがある。
【０１５５】
他方、追加手描きアイコン生成手段５５は、オブジェクト生成手段５１にさらに機能を付加して構成されるオブジェクト生成手段５１の変形例としての側面も有する。上述した追加手描きアイコン生成手段５５が有する機能のうち、追加手描きアイコンとするオブジェクトを生成する機能と、追加手描きアイコン情報５６を生成する機能の一部は、オブジェクト生成手段５１が有する機能と重複する機能であるから、追加手描きアイコン生成手段５５は、残りの機能をオブジェクト生成手段５１が有する機能に付加してオブジェクト生成手段５１を変形（機能を追加）することによって構成されるとみることもできる。
【０１５６】
追加手描きアイコン情報５６は、追加手描きアイコンを生成する際に選択されたオブジェクトと関連付けられる情報であり、追加アイコン２４（図２）を生成する際に選択された図形２３（図２）と関連付けられる追加アイコン情報１８に相当する情報である。より具体的に説明すれば、追加手描きアイコン情報５６は、少なくとも、オブジェクトと対応するアイコンＩＤ、監視対象を監視するために用意される既存系統図から選択される追加手描きアイコンを追加したい既存系統図の識別情報（系統図番号）、追加手描きアイコンの種類情報、追加手描きアイコンを追加したい既存系統図上での追加アイコンの配置場所情報、およびプロセス値ＩＤを含む情報である。
【０１５７】
なお、追加手描きアイコン情報５６についても、追加手描きアイコン生成手段５５の場合と同様にオブジェクト情報５２の変形例とみることができる。例えば、オブジェクト情報５２が有するオブジェクトの画像データに、当該オブジェクトと対応するアイコンＩＤ、監視対象を監視するために用意される既存系統図から選択される追加手描きアイコンを追加したい既存系統図の識別情報（系統図番号）、追加手描きアイコンの種類情報、追加手描きアイコンを追加したい既存系統図上での追加アイコンの配置場所情報、およびプロセス値ＩＤを含む情報をさらに関連付けて追加手描きアイコン情報５６を生成することもできる。
【０１５８】
プラント情報表示装置１０Ｅにおいて、画面生成手段１２は、追加アイコン２４（図２）やオブジェクトが配置される既存系統図などの画像と、追加アイコン生成手段１１Ａから受け取る画像（追加アイコンとなる図形の画像）と、追加手描きアイコン生成手段５５から受け取る画像（追加手描きアイコンの画像）とを異なる層の画像として認識し、それぞれ重畳する。
【０１５９】
すなわち、プラント情報表示装置１０Ｅでは、既存系統図などの画像を第１層画像とし、追加アイコン生成手段１１Ａから受け取る画像を第２層画像とし、追加手描きアイコン生成手段５５から受け取る追加手描きアイコンの画像を第３層画像として、重畳されて監視画面が生成される。
【０１６０】
また、プラント情報表示装置１０Ｅにおいて、画面生成手段１２は、入力される指令に応じて、監視画面生成の際に、第３層画像を使用するか否かを切り替える機能を有する。従って、プラント情報表示装置１０Ｅでは、第３層画像を使用するか否かを切り替えることで、監視画面内の追加手描きアイコンの表示または非表示を切り替えることができる。
【０１６１】
このように構成されるプラント情報表示装置１０Ｅでは、追加アイコン２４（図２）とは別に、既存系統図の画像上に追加的に配置可能な追加手描きアイコンを生成することができる。また、プラント情報表示装置１０Ｅでは、追加手描きアイコンを表示させたり、非表示としたりすることもできる。従って、１枚の監視画面に表示する情報の量と自由度を増加させることができる。
【０１６２】
なお、プラント情報表示装置１０Ｅにおける手描き追加アイコンの生成のための操作、および追加手描きアイコンの生成処理工程については、追加アイコンの生成のための操作、および追加アイコン生成処理工程に対して、追加アイコンと手描き追加アイコンとの相違による細かな相違点を除けば、実質的な相違はない。
【０１６３】
すなわち、手描き追加アイコンの生成のための操作としては、選択する対象が図形の代わりにオブジェクトとなる点で相違するものの、その他の点では実質的に相違しない。追加手描きアイコンの生成処理工程については、追加手描きアイコンを生成する手段が、追加アイコン生成手段１１Ａの代わりに追加手描きアイコン生成手段５５となる点と、追加手描きアイコンとして関連付けられる情報が追加アイコン情報１８の代わりに追加手描きアイコン情報５６となる点とで相違するものの、その他の点では実質的に相違しない。
【０１６４】
また、プラント情報表示装置１０Ｅにおける改造系統図表示処理工程は、プラント情報表示装置１０Ａにおける改造系統図表示処理工程に対して、追加手描きアイコンの表示要求が有る場合、追加アイコンに加えて追加手描きアイコンに対しても画像（第３層画像）が生成される点と、生成される第３層画像も重畳される点とが相違するが、その他の点は実質的に相違しない。
【０１６５】
プラント情報表示装置１０Ｅおよびプラント情報表示装置１０Ｅを用いたプラント情報表示方法によれば、プラント情報表示装置１０Ａおよびプラント情報表示装置１０Ａを用いたプラント情報表示方法と同様の効果を奏する。
【０１６６】
また、プラント情報表示装置１０Ｅおよびプラント情報表示装置１０Ｅを用いたプラント情報表示方法では、手描きのオブジェクトに追加手描きアイコン情報５６を関連付けることで、追加手描きアイコンを生成することができるので、想定外の事象が発生した際にも、柔軟で迅速な対応をとることができる。
【０１６７】
さらに、プラント情報表示装置１０Ｅおよびプラント情報表示装置１０Ｅを用いたプラント情報表示方法では、追加手描きアイコンを既存系統図などの監視対象の画像（第１層画像）や追加アイコン２４の画像（第２層画像）とは異なる層の画像（第３層画像）として生成した上で画像を重畳するので、追加手描きアイコンを監視画面内に表示させたり非表示としたりすることもできる。従って、１枚の監視画面に表示させる情報の量と自由度をさらに増加させることができる。
【０１６８】
なお、上述したプラント情報表示装置１０Ｅは、プラント情報表示装置１０Ａに対して、追加手描きアイコン生成手段５５をさらに具備し、追加手描きアイコン情報５６をさらに保持する場合の例を説明しているが、プラント情報表示装置１０Ｅはプラント情報表示装置１０Ｂなどのプラント情報表示装置１０Ａ以外のプラント情報表示装置に対しても、同様の構成を採ることができる。
【０１６９】
また、上述したプラント情報表示装置１０Ｅは、追加アイコン２４（図２）と追加手描きアイコンとの両方を生成することができる場合の例を説明しているが、追加手描きアイコンのみを生成するように構成することもできる。すなわち、画面生成手段１２と、追加手描きアイコン生成手段５５とを具備し、アクセス可能な記憶手段または記憶媒体に既存系統図情報１９および追加手描きアイコン情報５６を保持するプラント情報表示装置１０Ｅを構成することもできる。
【０１７０】
以上、プラント情報表示装置１０Ａ〜１０Ｅ、およびプラント情報表示装置１０Ａ〜１０Ｅを用いたプラント情報表示方法によれば、プラントの改修などによって取得する信号が増加した場合であっても、既存系統図に容易に追加アイコン２４（図２）を追加的に配置することができ、また、追加的に配置された追加アイコン２４を用いて追加アイコン２４と関連付けられたプロセス値を監視することができる。すなわち、従来困難であった画面の改造および画面改造のツールを使用するための十分な知識を有していないユーザでもプラント情報を表示する画像の改造を容易に行うことができる。
【０１７１】
また、プラント情報表示装置１０Ａ〜１０Ｅ、およびプラント情報表示装置１０Ａ〜１０Ｅを用いたプラント情報表示方法によれば、既存系統図に基づく第１層画像と、既存系統図に追加的に配置される追加アイコン２４の画像であって第１層画像とは異なる層の画像である第２層画像とを重畳して表示画面を生成するので、追加アイコン２４を配置することが、元来の表示画面を構成する第１層画像に影響を及ぼすことがない。従って、画面の改造や修正に誤りがあった場合にも既存系統図には何ら悪影響が及ぶことはない。
【０１７２】
なお、上述した各実施形態において記載した手法は、コンピュータに実行させることのできるプログラムとして、例えば、磁気ディスク、光ディスク、半導体メモリなどの記憶媒体に書き込んで各種装置に適用したり、通信媒体により伝送して各種装置に適用することもできる。本装置を実現するコンピュータは、記憶媒体に記録されたプログラムを読み込み、このプログラムによって動作が制御されることにより、上述した処理を実行する。
【０１７３】
例えば、コンピュータであるプロセス値管理手段１３と画面生成手段１２とを具備するプロセス計算機に、コンピュータを追加アイコン生成手段１１として機能させる（またはコンピュータに追加アイコン生成手順を実行させる）プログラムを実行させることで、このプロセス計算機に追加アイコン生成手段１１を追設する（または追加アイコン生成手順を実行させる）ことができる。
【０１７４】
また、本発明は上記実施形態そのままに限定されるものではなく、実施段階では、上述した実施例以外にも様々な形態で実施することが可能であり、発明の要旨を逸脱しない範囲で、種々の省略、追加、置き換え、変更を行うことができる。上述した実施形態やその変形は、発明の範囲や要旨に含まれるとともに、特許請求の範囲に記載された発明とその均等の範囲に含まれる。
【０１７５】
例えば、上述したプラント情報表示装置１０Ａ〜１０Ｅは、第１層画像に第２層画像が重畳された状態で監視画面が生成される例を説明しているが、プラント情報表示装置１０Ａ〜１０Ｅは、上述した第３層画像の場合と同様にユーザの選択によって第２層画像を重畳するか否かを切り替え可能に構成されていてもよい。
【符号の説明】
【０１７６】
１０Ａ〜１０Ｅ…プラント情報表示装置、１１Ａ，１１Ｂ，１１Ｄ…追加アイコン生成手段、１２…画面生成手段、１３…プロセス値管理手段、１４…入力手段、１５…出力手段、１６…入出力装置、１７…図形テンプレート情報、１８…追加アイコン情報、１９…既存系統図情報、２０…追加アイコン生成画面、２１…図形テンプレート領域、２２…系統図領域、２３…図形（テンプレート）、２４…追加アイコン、３０…追加アイコン情報入力画面、３１…情報表示領域、３１１…系統図番号欄、３１２…アイコン種類欄、３１３…アイコン名称欄、３１４…配置場所欄、３１５…プロセス値ＩＤ欄、３６…ウインドウ、３７…プロセス値リスト、３８…トレンドグラフ、３９…（選択されているプロセス値を示す）破線、４１…ステータス情報、４３…ステータス表示設定情報、４６…ラスター画像データ、５１…オブジェクト生成手段、５２…オブジェクト情報、５５…追加手描きアイコン生成手段、５６…追加手描きアイコン情報、１００…監視制御システム、１０１〜１０３…センサ、１０４…現場ネットワーク、１０５…専用ケーブル、１０６…プロセス計算機、１０７…監視制御用ネットワーク、１０８…入出力装置（監視用端末装置）。
【図１】
2015087834.tif 000003
【図２】
2015087834.tif 000004
【図３】
2015087834.tif 000005
【図４】
2015087834.tif 000006
【図５】
2015087834.tif 000007
【図６】
2015087834.tif 000008
【図７】
2015087834.tif 000009
【図８】
2015087834.tif 000010
【図９】
2015087834.tif 000011
【図１０】
2015087834.tif 000012
【図１１】
2015087834.tif 000013
【図１２】
2015087834.tif 000014
【図１３】
2015087834.tif 000015
【図１４】
2015087834.tif 000016